(57)【要約】【課題】画像読取装置において、結像レンズ及びイメージセンサの位置調整後の固定を接着剤によって行なった場合に、位置変化を生じさせないようにすることを目的とする。【解決手段】レンズ部が保持された第１保持部材とセンサ部が保持された第２保持部材との位置関係を設定する位置設定部材Ｓ１〜Ｓ４に接着剤を充填する接着剤充填用窪み１４３ａ，１４３ｂ、１４４ａ，１４４ｂを設ける。【選択図】図３
2011216980.tif 000002
【特許請求の範囲】
【請求項１】
結像レンズが保持された第１保持部材と読取センサが保持された第２保持部材との位置関係を設定する位置設定部材とを備える画像読取装置であって、
前記位置設定部材は、
前記第１保持部材に対向する領域に当該第１保持部材に当接する当接面と前記位置設定部材を前記第１保持部材に固着する接着剤を充填する接着剤充填用窪みとを有し、
前記第２保持部材に対向する領域に当該第２保持部材に当接する当接面と前記位置設定部材を前記第２保持部材に固着する接着剤を充填する接着剤充填用窪みとを有する
ことを特徴とする画像読取装置。
【請求項２】
前記位置設定部材は、前記接着剤充填用窪みに前記接着剤を導入する流路を有することを特徴とする請求項１記載の画像読取装置。
【請求項３】
前記位置設定部材を前記第１保持部材及び前記第２保持部材に対して付勢する付勢部材を備えることを特徴とする請求項１または２記載の画像読取装置。
【請求項４】
前記付勢部材は、設置角度の異なる２つの前記当接面の両方に対して斜めに取り付けられていることを特徴とする請求項３記載の画像読取装置。
【請求項５】
前記位置設定部材は、紫外線に対して透明であることを特徴とする請求項１〜４いずれかに記載の画像読取装置。
【請求項６】
前記位置設定部材を複数備え、前記位置設定部材が前記結像レンズの光軸に対して対称配置されていることを特徴とする請求項１〜５いずれかに記載の画像読取装置。
【請求項７】
画像読取装置によって読み取った画像データに基づいて記録媒体に対して画像を形成する画像形成装置であって、
前記画像読取装置として、請求項１〜６いずれかに記載の画像読取装置を備えることを特徴とする画像形成装置。
【発明の詳細な説明】
【技術分野】
【０００１】
本発明は、画像読取装置及びその画像読取装置を用いた画像形成装置に関する。
【背景技術】
【０００２】
従来から、複写機、プリンタ、ファクシミリ、あるいは、これらのうちの複数の機能を備えた複合機等における画像形成装置は画像読取装置を備えている。この画像読取装置は、画像形成装置本体の上部部分に設けられていて、原稿の画像に光を照射し、その反射光を受光することによって原稿の画像を画像データとして読み取るように構成されている。また、画像読取装置は、原稿に光を照射する光源装置や原稿からの戻り光を受光して画像データに変換するイメージセンサ等を備えて構成されている。
すなわち、この画像読取装置は、原稿ガラス面上に載置された原稿の表面に光を照射するためのＬＥＤやキセノンランプ等の各種ランプからなる光源と、その原稿からの反射光を順次反射して結像レンズ（集光レンズ）に導くミラー群と、結像レンズによって集められた光を電気信号に変換するＣＣＤ（Charge Coupled Device）やＣＭＯＳ（Complementary Metal Oxide Semiconductor）等のイメージセンサとを含んで構成されている。
【０００３】
上記画像形成装置の結像レンズ及びＣＣＤ等からなるイメージセンサは、画像読取装置本体内に設けられているシャーシの底面上に載置して設けられている。このシャーシの底面上に結像レンズ及びイメージセンサを載置・固定するに際しては、イメージセンサの受光部が結像レンズの光軸に対して垂直になるように位置調整されると共に、さらに、結像レンズ及びイメージセンサのピントと倍率とが最適になるように光軸方向の位置調整が行なわれる。このように位置調整された結像レンズ及びイメージセンサは、ネジ止めにより固定されたり（特許文献１，２参照）、あるいは、接着剤を用いて固定されている（特許文献３，４，５参照）。
【先行技術文献】
【特許文献】
【０００４】
【特許文献１】特開平９−２９８６４９号公報
【特許文献２】特開平１１−１１２７４２号公報
【特許文献３】特開２００１−５５５４３号公報
【特許文献４】特開２００１−３２６７８９号公報
【特許文献５】特開２００６−８６９４号公報
【発明の概要】
【発明が解決しようとする課題】
【０００５】
ところで、上記従来の画像読取装置において、結像レンズ及びイメージセンサの位置調整後の固定は、接着剤による固定の方が、ネジ固定のように最終的な締め付け時に生じ易い位置ずれの発生がなく簡単に行えるというメリットがある。
しかしながら、接着剤によって固定を行なった場合、接着材が固化する過程で生じる接着剤の体積変化（収縮）によって、せっかく位置調整された結像レンズ及びイメージセンサの位置が変化し、所定の画質が得られないという欠点があった。
【０００６】
本発明は、上述する問題点に鑑みてなされたもので、画像読取装置において、結像レンズ及びイメージセンサの位置調整後の固定を接着剤によって行なった場合に、位置変化を生じさせないようにすることを目的とする。
【課題を解決するための手段】
【０００７】
本発明は、上記課題を解決するための手段として、以下の構成を採用する。
【０００８】
第１の発明は、結像レンズが保持された第１保持部材と読取センサが保持された第２保持部材との位置関係を設定する位置設定部材とを備える画像読取装置であって、上記位置設定部材は、上記第１保持部材に対向する領域に当該第１保持部材に当接する当接面と上記位置設定部材を上記第１保持部材に固着する接着剤を充填する接着剤充填用窪みとを有し、上記第２保持部材に対向する領域に当該第２保持部材に当接する当接面と上記位置設定部材を上記第２保持部材に固着する接着剤を充填する接着剤充填用窪みとを有するという構成を採用する。
【０００９】
第２の発明は、上記第１の発明において、上記位置設定部材は、上記接着剤充填用窪みに上記接着剤を導入する流路を有するという構成を採用する。
【００１０】
第３の発明は、上記第１または２に記載の発明において、上記位置設定部材を上記第１保持部材及び上記第２保持部材に対して付勢する付勢部材を備えるという構成を採用する。
【００１１】
第４の発明は、上記第３の発明において、上記付勢部材は、設置角度の異なる２つの上記当接面の両方に対して斜めに取り付けられているという構成を採用する。
【００１２】
第５の発明は、上記第１〜第４いずれかの発明において、上記位置設定部材は、紫外線に対して透明であるという構成を採用する。
【００１３】
第６の発明は、上記１〜５いずれかに記載の発明において、上記位置設定部材を複数備え、上記位置設定部材が上記結像レンズの光軸に対して対称配置されているという構成を採用する。
【００１４】
第７の発明は、画像読取装置によって読み取った画像データに基づいて記録媒体に対して画像を形成する画像形成装置であって、上記画像読取装置として、請求項１〜５いずれかに記載の画像読取装置を備えるという構成を採用する。
【発明の効果】
【００１５】
本発明によれば、結像レンズが保持された第１保持部材と読取センサが保持された第２保持部材との位置関係を設定する位置設定部材に、接着剤を充填する接着剤充填用窪みをそれぞれ設けているので、接着材が固化する過程で生じる接着剤の体積変化があっても、すなわち、接着剤の収縮があっても位置設定部材の位置が変化せず、したがって、第１保持部材と第２保持部材との位置関係を当初の位置に保つことができ、画質劣化を未然に防止することができる。
【図面の簡単な説明】
【００１６】
【図１】本発明の一実施形態の画像読取装置を適用した複写機の概略構成を示す断面図である。
【図２】本発明の一実施形態におけるシャーシの斜視図である。
【図３】本発明の一実施形態における位置設定部材の斜視図である。
【図４】本発明の一実施形態におけるレンズ部を含む斜視図である。
【図５】本発明の一実施形態における位置設定部材が取り付けられた様子を示す斜視図である。
【発明を実施するための形態】
【００１７】
以下、図面を参照して、本発明に係る画像読取装置の実施形態について説明する。なお、以下の図面において、各部材を認識可能な大きさとするために、各部材の縮尺を適宜変更している。また、以下の説明においては、本発明の画像形成装置の一例として複写機を挙げて説明する。
【００１８】
図１は、本実施形態の画像読取装置を適用した複写機Ｐの概略構成を示す断面図である。この図に示すように、本実施形態の複写機Ｐは、原稿の画像を読み取る画像読取装置１と、読み取った画像データに基づいて記録紙（記録媒体）に印刷を行う印刷部２とを備えている。
【００１９】
印刷部２は、ベルトユニット６と、画像形成ユニット７と、給紙カセット８と、給紙トレイ９と、二次転写部１０と、定着部１１と、排紙トレイ１２と、搬送路１３とを備えている。
【００２０】
ベルトユニット６は、画像形成ユニット７において形成されるトナー画像が転写され、この転写されたトナー画像を搬送するものであり、画像形成ユニット７からトナー画像が転写される中間転写ベルト６１と、中間転写ベルト６１を架設すると共に無端回送させる駆動ローラ６２と、従動ローラ６３と及びテンションローラ６４を備えている。
【００２１】
中間転写ベルト６１は、駆動ローラ６２、従動ローラ６３及びテンションローラ６４に張架される構成となっている。
駆動ローラ６２は、モータ等の駆動源を有する駆動部に接続され、中間転写ベルト６１に対しグリップ力を付与しつつ回走させるものである。
従動ローラ６３は、駆動ローラ６２の回転駆動に従動して回転駆動するものである。
テンションローラ６４は、駆動ローラ６２の回転駆動に従動して回転駆動する従動ローラの一種であり、バネ機構を有して中間転写ベルト６１にテンションを与えるものである。
また、ベルトユニット６には、不図示のクリーニング部が併設されており、中間転写ベルト６１に残留したトナー等を除去する構成となっている。
【００２２】
画像形成ユニット７は、イエロー（Ｙ）、マゼンダ（Ｍ）、シアン（Ｃ）、ブラック（ＢＫ）の各色にそれぞれ対応して設けられており、各色のトナー画像を形成するものである。そして、これらの画像形成ユニット７は、中間転写ベルト６１に沿って配列されている。
【００２３】
各画像形成ユニット７は、感光体７１と、帯電器７２と、レーザスキャニングユニット（光走査装置）７３と、現像装置７４と、一次転写ローラ７５と、クリーニング装置７６及び不図示の除電装置等とを有する。
【００２４】
感光体７１は、円柱に形状設定され、その周面に静電潜像及び当該静電潜像に基づくトナー像が形成されるものである。帯電器７２は、感光体７１に対して対向配置され、感光体７１の周面を帯電状態とするものである。レーザスキャニングユニット７３は、印刷形式の画像データに基づいて射出されるレーザ光を帯電状態の感光体７１の周面において走査するものである。
【００２５】
現像装置７４は、感光体７１の周面に対してトナーを供給することによって感光体７１の周面上に静電潜像に基づくトナー像を現像するものである。一次転写ローラ７５は、中間転写ベルト６１を挟んで感光体７１と対向配置され、感光体７１に現像されたトナー像を中間転写ベルト６１に一次転写するものである。クリーニング装置７６は、一次転写の後に感光体７１上に残留したトナーを除去するものである。
【００２６】
給紙カセット８は、装置本体に対して引き出し自在であり、記録紙を収容するものである。給紙トレイ９は、装置本体に対して開閉自在であり、記録紙を収容するものである。
二次転写部１０は、中間転写ベルト６１上に形成された画像を記憶媒体に二次転写するものであって、中間転写ベルト６１を駆動させる駆動ローラ６２と、中間転写ベルト６１を挟んで該駆動ローラ６２と対向配置される二次転写ローラ１０ａとから構成されている。
【００２７】
定着部１１は、記憶媒体上に二次転写されたトナー像を記録紙に定着させるものであり、加圧及び加熱することによりトナー像を記録紙に定着させる加熱ローラを備える。
搬送路１３は、給紙カセット８から記憶紙を搬出するピックアップローラ１３ａ、記憶媒体を搬送する給紙ローラ１３ｂ、排紙トレイ１２に記録媒体を排紙する排紙ローラ１３ｃ等を備える。
【００２８】
このような構成を有する本実施形態の複写機Ｐは、上述のように、画像読取装置１において画像データを取得し、さらに印刷部２が当該画像データに基づいて記録紙に印刷を行う。
【００２９】
そして、本実施形態の複写機Ｐにおいて画像読取装置１は、図２に示されるようなシャーシ１ａと、原稿ガラス１ｂとを有している。シャーシ１ａは、金属板を板金加工して製造された上部開口の箱状体からなり、ボトムシャーシと称されることもある。このシャーシ１ａの一つの側壁の一部（図２において右側壁の上部）で、その底面近くには、長方形状のケーブル用開口１ｃが開けられている。
【００３０】
原稿ガラス１ｂは、透明ガラスからなり、シャーシ１ａの上部開口を密閉するように設けられている。したがって、シャーシ１ａの上部開口は、原稿ガラス１ｂで密閉されているので、上部開口からのシャーシ１ａ内への粉塵等の異物混入は阻止されている。なお、この原稿ガラス１ｂは、載置される原稿の重量に十分に耐えられる強度に保たれている。
【００３１】
図１及び図２を用いてシャーシ１ａ内に配設される読取用機器類について説明する。このシャーシ１ａ内には、第１キャリッジ１００、第２キャリッジ１０１、レンズ部１１０、センサ部１２０及びケーブル１３０が設けられている。
【００３２】
第１キャリッジ１００は、不図示のガイドレールに沿って水平方向（図１において左右方向）に往復動するように設けられている。この第１キャリッジ１００には、原稿ガラス１ａ面上に載置された原稿の画像に光を照射するためのＬＥＤやキセノンランプ等の各種ランプからなる光源１００ａ及びその原稿からの反射光を第２キャリッジ１０１側に反射するミラー１００ｂが設けられている。
【００３３】
第２キャリッジ１０１は、不図示のガイドレールに沿って水平方向（図１において左右方向）に往復動するように設けられていて、第１キャリッジ１００からの光線を入射し、その入射した光線をレンズ部１１０側に反射する第１ミラー１０１ａ及び第２ミラー１０１ｂが設けられている。
【００３４】
レンズ部１１０は、第２キャリッジ１０１からの光線を入射して集光する結像レンズ（集光レンズ）からなり、その結像レンズで集光された光線は、センサ部１２０に照射できるように構成されている。このレンズ部１１０は、シャーシ１ａの底面上に固定された、平面形状が略正方形状の板材からなる第１保持部材１１１に固定して設けられている。
【００３５】
センサ部１２０は、ＣＣＤやＣＭＯＳ等のイメージセンサ（以下、「ＣＣＤセンサ」で説明する。）素子を含んで構成されていて、レンズ部１１０の結像レンズによって集められた光線を電気信号に変換するように構成されている。このセンサ部１２０は、第１保持部材１１１上に設けられている第２保持部材１２１上に設けられている。すなわち、この第２保持部材１２１は、平面形状が略正方形状の板材からなり、第１保持部材１１１より小さく形成されていて、レンズ部１１０に入射される光軸を中心にした左右両側で、その光軸方向側に沿って所定の間隔を保って設けられた４個の位置設定部材Ｓ１〜Ｓ４を介して第１保持部材１１１上に固定されている。これら位置設定部材Ｓ１〜Ｓ４は、本発明の特徴をなすものである。
【００３６】
ケーブル１３０は、複数の導線を帯状の電気絶縁材中に互いに所定の間隔を保って配設されたフラットケーブルからなり、シャーシ１ａ内では、センサ部１２０とケーブル用開口１ｃとの間に接着等して固定されているトラフ１３１内に載置されて配線され、ケーブル用開口１ｃを介してシャーシ１ａの外側に出て、複写機Ｐの本体内に設けられている複写機Ｐを統括的に制御する制御器（コントローラ（ＣＲ））に接続されるように構成されている。
【００３７】
次に、図３を用いて位置設定部材Ｓ１〜Ｓ４について説明する。ただし、これら位置設定部材Ｓ１〜Ｓ４は、第１保持部材１１１及び第２保持部材１２１の位置調整後に用いられるので、発明の理解を容易にするために、先ず、これら第１保持部材１１１及び第２保持部材１２１について図４を用いて説明する。
【００３８】
レンズ部１１０を載置固定している第１保持部材１１１は、レンズ部１１０に入射される光軸（図４の一点鎖線参照）を中心にした左右両側の端部近くがビス１１１ａ〜１１１ｄを用いてシャーシ１ａの底面上に固定されている。すなわち、第１保持部材１１１の左右両側の端部近くには、光軸方向に伸びた長孔がそれぞれ設けられていると共に、それら長孔はビス１１１ａ〜１１１ｄ径に対して遊びをもって形成されている。したがって、レンズ部１１０を載置固定している第１保持部材１１１は、ビス１１１ａ〜１１１ｄを緩めた状態で光軸方向の位置調整を容易に行なうことができ、その調整後、ビス１１１ａ〜１１１ｄを締め付けることにより、第１保持部材１１１は、シャーシ１ａの底面上に固定される。
【００３９】
センサ部１２０を載置固定している第２保持部材１２１は、第１保持部材１１１上に載置され、レンズ部１００及びセンサ部１２０のピントと倍率とが最適になるように位置調整が行なわれた後、４個の位置設定部材Ｓ１〜Ｓ４（図３）を用いて第１保持部材１１１上に固定される。これら位置設定部材Ｓ１〜Ｓ４は、光軸を中心にした左右両側で、その光軸方向側に沿った左右両側の端部近くに設けられる。
つまり、本実施形態においては、位置設定部材Ｓ１〜Ｓ４は、レンズ部１１０の光軸に対して対称配置されている。これによって、位置設定部材Ｓ１〜Ｓ４から作用する力が光軸に対して均等となり、光軸のずれをより確実に防止することが可能となる。なお、本実施形態における位置設定部材Ｓ１〜Ｓ４の数及び配置は一例であり、位置設定部材Ｓ１〜Ｓ４の数及び配置を変更しても良い。
【００４０】
各位置設定部材Ｓ１〜Ｓ４は、同一構成なので、以下、位置設定部材Ｓ１を例にして図３を参照して説明する。
位置設定部材Ｓ１は、紫外線を透過できる合成樹脂製の成形品からなり、紫外線に対して透明とされている。これによって、後述する光硬化性接着剤を容易に硬化させることが可能となる。
この位置設定部材Ｓ１は、第１当接面１４０と、第２当接面１４１と、補強片１４２ａ，１４２ｂと、第１接着剤用窪み１４３ａ，１４３ｂ（接着剤充填用窪み）と、第２接着剤用窪み１４４ａ，１４４ｂ（接着剤充填用窪み）と、第１注入口１４５ａ，１４５ｂ（流路）と、第２注入口１４６ａ，１４６ｂ（流路）とを有している。
【００４１】
第１当接面１４０は、第１保持部材１１１に当接される平面形状が略矩形を呈する扁平な面を有して構成されている。そして、第２当接面１４１は、第１当接面１４０の扁平な面の一辺側から９０度の角度を保って設けられていて、第２保持部材１２１の一辺の端面に当接される平面形状が略矩形を呈する扁平な面を有して構成されている。さらに、補強片１４２ａ，１４２ｂは、第１当接面１４０及び第２当接面１４１の両端面をそれぞれ連結する板材を有している。
【００４２】
第１接着剤用窪み１４３ａ，１４３ｂは、第１当接面１４０の光軸方向に関して所定距離保って設けられ、第１当接面１４０の面より少し窪んで設けられている。また、第２接着剤用窪み１４４ａ，１４４ｂは、第２当接面１４１の光軸方向に関して所定距離保って設けられ、第２当接面１４１の面より少し窪んで設けられている。
【００４３】
第１注入口１４５ａ，１４５ｂは、第１接着剤用窪み１４３ａ，１４３ｂの略中央部分に第１当接面１４０を貫通して設けられている。また、第２注入口１４６ａ，１４６ｂは、第２接着剤用窪み１４４ａ，１４４ｂの略中央部分で、その第２接着剤用窪み１４４ａ，１４４ｂの面に沿って一端側が第２当接面１４１の端部（第２当接面１４１が第１当接面１４０と接していない端部）に露出するように設けられている。
これらの第１注入口１４５ａ，１４５ｂと、第２注入口１４６ａ，１４６ｂは、第１接着剤用窪み１４３ａ，１４３ｂと、第２接着剤用窪み１４４ａ，１４４ｂとに接着剤を導入するための流路として機能するものである。これらの第１注入口１４５ａ，１４５ｂと、第２注入口１４６ａ，１４６ｂによって、第１接着剤用窪み１４３ａ，１４３ｂと、第２接着剤用窪み１４４ａ，１４４ｂとに容易に接着剤を導入することが可能となる。
【００４４】
上記構成からなる位置設定部材Ｓ１〜Ｓ４を用いて第２保持部材１２１を第１保持部材１１１上に固定するには、センサ部１２０を載置固定している第２保持部材１２１が第１保持部材１１１上に載置され、レンズ部１００及びセンサ部１２０のピントと倍率とが最適になるように位置調整された後、４個の位置設定部材Ｓ１〜Ｓ４が、図４及び図５に示されるように、第１保持部材１１１と第２保持部材１２１とに当接して配置される。すなわち、各位置設定部材Ｓ１〜Ｓ４の第１当接面１４０が第１保持部材１１１の上面にそれぞれ当接されると共に、第２当接面１４１が第２保持部材１２１の端面にそれぞれ当接される。
【００４５】
次いで、これら位置設定部材Ｓ１〜Ｓ４の第１注入口１４５ａ，１４５ｂ及び第２注入口１４６ａ，１４６ｂにそれぞれ光硬化性接着剤が注入され、その注入された光硬化性接着剤は、第１接着剤用窪み１４３ａ，１４３ｂ及び第２接着剤用窪み１４４ａ，１４４ｂにそれぞれ充填される。その後、位置設定部材Ｓ１〜Ｓ４には、光（紫外線）が照射され、第１接着剤用窪み１４３ａ，１４３ｂ及び第２接着剤用窪み１４４ａ，１４４ｂにそれぞれ充填された光硬化性接着剤は固化し、位置設定部材Ｓ１〜Ｓ４を介して第１保持部材１１１と第２保持部材１２１とは強固に結合される。
【００４６】
光硬化性接着剤が硬化する際、その体積が変化（収縮）するが、その変化は、各第１接着剤用窪み１４３ａ，１４３ｂ及び第２接着剤用窪み１４４ａ，１４４ｂ内だけでおこり、第１当接面１４０と第１保持部材１１１との当接面及び第２当接面１４１と第２保持部材１２１との当接面の接合位置に影響を与えることがない。したがって、せっかく位置決めされた第１保持部材１１１と第２保持部材１２１との位置関係が変化することがない。
【００４７】
また、図５に示すように、本実施形態の複写機Ｐでは、位置設定部材Ｓ１〜Ｓ４に設けられる突起部１５０と、第１保持部材１１１から立設される押え片１５１と、付勢部材１５２とを有している。
突起部１５０は、第２当接面１４１の反対側の面中央部に突出して設けられている。
押え片１５１は、位置設定部材Ｓ１が載置される第１保持部材１１１の箇所で、その位置設定部材Ｓ１の載置に障害にならない位置に立設し、突起部１５０側に少し突出するように折り返した折返片１５１ａを備えている。
付勢部材１５２は、コイルバネからなり、突起部１５０と押え片１５１の折返片１５１ａ間に設けられ、常時、第２当接面１４１を第２保持部材１２１側に付勢できるように構成されている。
これら突起部１５０と折返片１５１ａとの位置関係は、図５に示されるように、突起部１５０の高さが折返片１５１ａより低くなるように決められている。これにより、第２当接面１４１が付勢部材１５２で押圧されたとき、第２当接面１４１が第２保持部材１２１の端面に間断なく当接でき、また、第１当接面１４０が第１保持部材１１１の上面に間断なく当接することができる。
つまり、本実施形態において設置角度の異なる２つの当接面（第１当接面１４０及び第２当接面１４１）に対して付勢部材１５２が斜め方向に取り付けられており、これによって単一の付勢部材１５２で２つの当接面を各保持部材（第１保持部材１１１及び第２保持部材１２１）に対して押圧することが可能に構成されている。
【００４８】
このように付勢部材１５２で第２当接面１４１が第２保持部材１２１側に付勢されているので、第１保持部材１１１及び第２保持部材１２１の位置調整された後、特別な取付冶具を用いて位置設定部材Ｓ１〜Ｓ４を支持しなくとも、光硬性性接着剤が硬化するまで保持することができ、また、予め、第１保持部材１１１の上面に位置設定部材Ｓ１〜Ｓ４をセットしておくことができ、組立作業の効率化を図ることができる。
【００４９】
上記構成からなる複写機Ｐは、位置設定部材Ｓ１〜Ｓ４に第１接着剤用窪み１４３ａ，１４３ｂ及び第２接着剤用窪み１４４ａ，１４４ｂが設けられているので、充填された光硬化性接着剤が硬化する際、その体積が変化しても、その変化は、各第１接着剤用窪み１４３ａ，１４３ｂ及び第２接着剤用窪み１４４ａ，１４４ｂ内だけでおこり、第１当接面１４０と第１保持部材１１１との当接面及び第２当接面１４１と第２保持部材１２１との当接面の接合位置に影響を与えることがない。したがって、せっかく位置決めされた第１保持部材１１１と第２保持部材１２１との位置関係が変化することがなく、画質低下を未然に防止することができる。
【００５０】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
例えば、上記実施形態において、画像読取装置は、複写機に適用した例を示したが、他の機器の画像形成装置に適用したものでもよい。
また、上記実施形態において、光硬性性接着剤は、第１注入口１４５ａ，１４５ｂ及び第２注入口１４６ａ，１４６ｂを介して第１接着剤用窪み１４３ａ，１４３ｂ及び第２接着剤用窪み１４４ａ，１４４ｂにそれぞれ注入したが、予め、第１接着剤用窪み１４３ａ，１４３ｂ及び第２接着剤用窪み１４４ａ，１４４ｂに光硬性性接着剤を充填するようにし、第１注入口１４５ａ，１４５ｂ及び第２注入口１４６ａ，１４６ｂを省略してもよい。さらに、位置設定部材Ｓ１〜Ｓ４は、光軸を挟んだ両側に２個ずつ設けるようにしたが、光軸を挟んだ両側に１個ずつ設けるようにしてもよく、あるいは、一方側に２個、他方側に１個のように設けるようにしてもよい。
【符号の説明】
【００５１】
Ｐ……複写機（画像形成装置）、１……画像読取装置、１ａ……シャーシ、１ｂ……原稿ガラス１ａ、１ｃ……ケーブル用開口、１００……第１キャリッジ、１００ａ……光源、１００ｂ……ミラー、１０１……第２キャリッジ、１０１ａ……第１ミラー、１０１ｂ……第２ミラー、１１０……レンズ部、１１１……第１保持部材、１１１ａ〜１１１ｄ……ビス、１２０……センサ部、１２１……第２保持部材、１３０……信号ケーブル、１３１……トラフ、Ｓ１〜Ｓ４……位置設定部材、１４０……第１当接面、１４１……第２当接面、１４２ａ，１４２ｂ……補強片、１４３ａ，１４３ｂ……第１接着剤用窪み、１４４ａ，１４４ｂ……第２接着剤用窪み、１４５ａ，１４５ｂ……第１注入口、１４６ａ，１４６ｂ……第２注入口、１５０……突起部、１５１……押え片、１５１ａ……折返片、１５２……付勢部材
【図１】
2011216980.tif 000003
【図２】
2011216980.tif 000004
【図３】
2011216980.tif 000005
【図４】
2011216980.tif 000006
【図５】
2011216980.tif 000007